(57)【特許請求の範囲】
【請求項１】
透析液が流通し得る可撓性チューブから成る流路に取り付けられ、所定部位が前記透析液に接液可能とされるとともに、電気的に接地させる接地手段と接触することにより前記流路の透析液に帯びた電荷を外部に放散可能な帯電防止具において、
前記流路に形成された開口から成る挿通孔に圧入状態で挿通されて前記透析液に接液可能な突起状の接液部と、前記接地手段と接触して接地可能とされ、前記流路の透析液に帯びた電荷を外部に放散させ得る接地部とが一体形成された導電性部材を有するとともに、前記導電性部材は、前記流路を成す可撓性チューブを挿通して前記流路の外周面と接着する内周面を有する貫通孔が形成され、且つ、前記接液部の突端は、前記流路を成す可撓性チューブの内周面に対して連続した形状とされたことを特徴とする帯電防止具。
【請求項２】
前記流路は、透析液の流通方向にローラが回転して流路をしごくことにより送液させ得るしごき型ポンプが配設されたことを特徴とする請求項１記載の帯電防止具。
【請求項３】
前記接液部は、その突端に前記流路の挿通孔より大径とされた大径部を有し、当該大径部にて接液可能とされたことを特徴とする請求項１又は請求項２記載の帯電防止具。
【請求項４】
前記接地部における前記接地手段との接触部は、略平坦な面から成ることを特徴とする請求項１〜３の何れか１つに記載の帯電防止具。
【請求項５】
請求項１〜４の何れか１つに記載の帯電防止具を有することを特徴とする医療用回路。
【請求項６】
請求項１〜４の何れか１つに記載の帯電防止具を有することを特徴とする血液浄化装置。
【発明の詳細な説明】
【技術分野】
【０００１】
本発明は、液体が流通し得る流路に取り付けられ、当該流路の液体に帯びた電荷を放散可能とされた帯電防止具に関するものである。
【背景技術】
【０００２】
一般に、透析治療を行うための血液浄化装置は、患者の血液を体外循環させるための血液回路を構成する動脈側血液回路及び静脈側血液回路と、血液回路にて体外循環する血液を浄化するための血液浄化器と、血液回路及び血液浄化器にて血液浄化治療させるための血液ポンプ等の種々の治療手段が配設された装置本体とを具備している。動脈側血液回路及び静脈側血液回路の先端には、それぞれ動脈側穿刺針及び静脈側穿刺針が取り付け可能とされている。
【０００３】
そして、動脈側穿刺針及び静脈側穿刺針を患者に穿刺した後、血液ポンプを駆動させることにより、患者の患者が動脈側血液回路及び静脈側血液回路を流動することとなり、その流動過程において血液浄化器にて血液浄化されるようになっている。また、透析治療においては、血液浄化器に透析液を導入するための透析液導入チューブと、血液浄化器から透析液を導出するための透析液導出チューブとがそれぞれ血液浄化器に接続されている。
【０００４】
ところで、血液ポンプや透析液を血液浄化器に導入又は導出させるためのポンプとして、通常、流体の流通方向にローラが回転してしごくことにより送液させ得るしごき型ポンプが用いられている。かかるしごき型ポンプは、回転するローラによって流路をしごき送液するので、当該しごき部にて静電気が生じてしまい、流路の液体を帯電させ易くなっている。
【０００５】
しかして、治療中、液体が帯電してしまうと、その電荷を帯びた血液が例えば穿刺針を介して患者に至ってしまい、治療中に得られる患者の心電図等に悪影響を及ぼしてしまう虞がある。このような不具合を回避すべく、従来より、液体の流路に帯電防止具を取り付けて電気的に接地（アース）させることにより、心電図等に対する悪影響を回避するものが提案されている。
【０００６】
従来の帯電防止具は、例えば特許文献１にて開示されているように、透析液を流通させ得る一方の可撓性チューブの先端と他方の可撓性チューブの基端とを接続する導電性部材（チューブジョイント）から成り、これら可撓性チューブの接続部を流れる透析液に接液しつつ血液浄化装置側に取り付けられた接地手段（アース手段）と接触することにより、可撓性チューブに生じた電荷を外部に放散可能とされていた。
【先行技術文献】
【特許文献】
【０００７】
【特許文献１】特許第４５９７９７１号公報
【発明の概要】
【発明が解決しようとする課題】
【０００８】
しかしながら、上記従来の帯電防止具においては、一方の可撓性チューブの先端と他方の可撓性チューブの基端とを接続する導電性部材から成るので、何れかの可撓性チューブに不用意な力がかかった場合、接続部が外れてしまう虞があるとともに、可撓性チューブを流れる液体（透析液等）が接続部から外部に漏れる可能性が高くなってしまうという問題があった。なお、このような問題は、治療時に血液を流通させ得る血液回路や種々流体を流通させ得る他の流路においても、同様に生じる虞がある。
【０００９】
本発明は、このような事情に鑑みてなされたもので、流路の液体に帯びた電荷を良好且つ確実に外部に放散し得るとともに、流路が外れてしまうのを回避しつつ液漏れを抑制することができる帯電防止具を提供することにある。
【課題を解決するための手段】
【００１０】
請求項１記載の発明は、透析液が流通し得る可撓性チューブから成る流路に取り付けられ、所定部位が前記透析液に接液可能とされるとともに、電気的に接地させる接地手段と接触することにより前記流路の透析液に帯びた電荷を外部に放散可能な帯電防止具において、前記流路に形成された開口から成る挿通孔に圧入状態で挿通されて前記透析液に接液可能な突起状の接液部と、前記接地手段と接触して接地可能とされ、前記流路の透析液に帯びた電荷を外部に放散させ得る接地部とが一体形成された導電性部材を有するとともに、前記導電性部材は、前記流路を成す可撓性チューブを挿通して前記流路の外周面と接着する内周面を有する貫通孔が形成され、且つ、前記接液部の突端は、前記流路を成す可撓性チューブの内周面に対して連続した形状とされたことを特徴とする。
【００１１】
請求項２記載の発明は、請求項１記載の帯電防止具において、前記流路は、透析液の流通方向にローラが回転して流路をしごくことにより送液させ得るしごき型ポンプが配設されたことを特徴とする。
【００１２】
請求項３記載の発明は、請求項１又は請求項２記載の帯電防止具において、前記接液部は、その突端に前記流路の挿通孔より大径とされた大径部を有し、当該大径部にて接液可能とされたことを特徴とする。
【００１３】
請求項４記載の発明は、請求項１〜３の何れか１つに記載の帯電防止具において、前記接地部における前記接地手段との接触部は、略平坦な面から成ることを特徴とする。
【００１６】
請求項５記載の発明は、請求項１〜４の何れか１つに記載の帯電防止具を有することを特徴とする医療用回路である。
【００１７】
請求項６記載の発明は、請求項１〜４の何れか１つに記載の帯電防止具を有することを特徴とする血液浄化装置である。
【発明の効果】
【００１８】
請求項１の発明によれば、流路に形成された開口から成る挿通孔に圧入状態で挿通されて透析液に接液可能な突起状の接液部と、接地手段と接触して接地可能とされ、流路の透析液に帯びた電荷を外部に放散させ得る接地部とが一体形成された導電性部材を有するので、流路の透析液に帯びた電荷を良好且つ確実に外部に放散し得るとともに、導電性部材の取り付け部において流路が外れてしまうのを回避しつつ液漏れを抑制することができる。
【００１９】
請求項２の発明によれば、流路は、透析液の流通方向にローラが回転して流路をしごくことにより送液させ得るしごき型ポンプが配設されたので、しごき型ポンプのローラの回転によって流路の透析液に帯びた電荷を良好且つ確実に外部に放散することができる。
【００２０】
請求項３の発明によれば、接液部は、その突端に流路の挿通孔より大径とされた大径部を有し、当該大径部にて接液可能とされたので、導電性部材の導電率が低くても、流路の透析液に帯びた電荷を良好且つ確実に外部に放散することができる。
【００２１】
請求項４の発明によれば、接地部における接地手段との接触部は、略平坦な面から成るので、接地部と接地手段との接触を面接触として確実に行わせることができ、流路の透析液に帯びた電荷をより良好且つ確実に外部に放散することができる。
【００２４】
請求項５の発明によれば、請求項１〜４の発明の効果を有した医療用回路を提供することができる。
【００２５】
請求項６の発明によれば、請求項１〜４の発明の効果を有した血液浄化装置を提供することができる。
【図面の簡単な説明】
【００２６】
【図１】本発明の実施形態に係る帯電防止具が適用される血液浄化装置を示す模式図
【図２】同帯電防止具が適用される透析装置本体を示す正面図及び側面図
【図３】同透析装置本体を示す平面図
【図４】同透析装置本体に配設された血液ポンプを示す模式図
【図５】本発明の第１の実施形態に係る帯電防止具を示す３面図
【図６】図５中ＶＩ−ＶＩ線断面図
【図７】同帯電防止具を流路に取り付けた状態を示す２面図
【図８】図７中ＶＩＩＩ−ＶＩＩＩ線断面図
【図９】図７中ＩＸ−ＩＸ線断面図
【図１０】流路に取り付けた第１の実施形態に係る帯電防止具を縦断面した斜視図
【図１１】本発明の第２の実施形態に係る帯電防止具を示す３面図
【図１２】図１１中ＸＩＩ−ＸＩＩ線断面図
【図１３】同帯電防止具を流路に取り付けた状態を示す２面図
【図１４】図１３中ＸＩＶ−ＸＩＶ線断面図
【図１５】流路に取り付けた第２の実施形態に係る帯電防止具を縦断面した斜視図
【図１６】本発明の第３の実施形態に係る帯電防止具及び当該帯電防止具が形成された圧力モニタチャンバを示す斜視図
【図１７】同圧力モニタチャンバを示す２面図
【図１８】同帯電防止具が接地手段に接触した状態を示す模式図
【図１９】図１７中ＸＩＸ−ＸＩＸ線断面図
【図２０】同圧力モニタチャンバ（導電性部材が取り外された状態）を示す模式図
【図２１】図２０中ＸＸＩ−ＸＸＩ線断面図
【図２２】同帯電防止具における導電性部材を示す３面図
【図２３】図２２中ＸＸＩＩＩ−ＸＸＩＩＩ線断面図
【発明を実施するための形態】
【００２７】
以下、本発明の実施形態について図面を参照しながら具体的に説明する。
本実施形態に係る帯電防止具は、液体が流通し得る流路に取り付けられ、当該流路の液体に帯びた電荷を放散可能とされたもので、図１で示す血液浄化装置に適用されたものである。かかる血液浄化装置は、図１〜３に示すように、患者の血液を体外循環させつつ浄化するための透析装置に適用されたもので、血液回路１と、血液浄化器としてのダイアライザ２と、モニタＭ（図２、３参照）を具備した透析装置本体Ａとを有して構成されている。
【００２８】
ダイアライザ２は、微小孔（ポア）が形成された複数の中空糸を筐体部に収容して成るものであり、その筐体部に、血液導入ポート２ａ、血液導出ポート２ｂ、透析液導入ポート２ｃ及び透析液導出ポート２ｄが形成されている。また、血液回路１は、先端に動脈側穿刺針が取り付け可能とされた動脈側血液回路１ａと、先端に静脈側穿刺針が取り付け可能とされた静脈側血液回路１ｂとを有した可撓性チューブから構成されたもので、動脈側血液回路１ａの基端がダイアライザ２の血液導入ポート２ａに接続されるとともに、静脈側血液回路１ｂの基端がダイアライザ２の血液導出ポート２ｂに接続されている。
【００２９】
さらに、本透析装置には、ダイアライザ２に透析液を導入する透析液導入チューブＬ１と、ダイアライザ２から透析液（排液）を導出する透析液導出チューブＬ２とを取り付け可能とされており、透析液導入チューブＬ１の先端がダイアライザ２の透析液導入ポート２ｃに接続されるとともに、透析液導出チューブＬ２の先端がダイアライザ２の透析液導出ポート２ｄに接続されている。また、本実施形態においては、透析液導入チューブＬ１と静脈側血液回路１ｂとを接続する補液導入チューブＬ３が形成されている。なお、血液回路１を構成する動脈側血液回路１ａ及び静脈側血液回路１ｂ、透析液導入チューブＬ１、透析液導出チューブＬ２並びに補液導入チューブＬ３は、何れも液体が流通し得る可撓性チューブから成るものである。
【００３０】
またさらに、動脈側血液回路１ａの途中には、血液ポンプＰ１が配設されている。かかる血液ポンプＰ１は、ケースＣが取り付けられる部位（図３参照）に配設されたもので、図４に示すように、ステータＳの内周面Ｓａ内で回転するロータＲと、ロータＲに形成された一対のローラＲａとを具備して構成されており、液体の流通方向にロータＲが回転して動脈側血液回路１ａに接続された被しごき用可撓性チューブＤ１を一対のローラＲａがそれぞれしごくことにより送液可能とされたしごき型ポンプから成る。
【００３１】
また、図１、３に示すように、被しごき用可撓性チューブＤ２は、透析液導入チューブＬ１の途中に接続されるとともに、被しごき用可撓性チューブＤ３は、補液導入チューブＬ３の途中に接続され、本透析装置に配設されたしごき型ポンプＰ２、Ｐ３にそれぞれ取り付けられる。さらに、被しごき用可撓性チューブＤ４は、透析液導出チューブＬ２の途中に接続され、本透析装置に配設されたしごき型ポンプＰ４に取り付けられる。なお、被しごき用可撓性チューブＤ５は、しごき型ポンプＰ５に取り付けられ、重量計４で重量測定後に駆動によって収容バッグＢ２に溜まった液を系外に排出するものである。
【００３２】
しごき型ポンプＰ２〜Ｐ５は、血液ポンプＰ１と同様、ケースＣが取り付けられる部位（図３参照）に配設されたもので、ステータの内周面内で回転するロータと、ロータに形成された一対のローラとを具備して構成されており、液体の流通方向にロータが回転して流路に接続された被しごき用可撓性チューブ（Ｄ２〜Ｄ５）を一対のローラがそれぞれしごくことにより送液可能とされたものである。なお、しごき型ポンプＰ２〜Ｐ５の具体的な構成については、血液ポンプＰ１と同様であるため、詳細な説明を省略する。
【００３３】
このように、本透析装置には、血液ポンプＰ１及びしごき型ポンプ（Ｐ２〜Ｐ５）が配設されるとともに、ケースＣには、各流路が接続された状態の被しごき用可撓性チューブ（Ｄ１〜Ｄ５）が形成されており、本透析装置にケースＣを取り付けると、被しごき用可撓性チューブＤ１が血液ポンプＰ１に対してセット状態とされるとともに、被しごき用可撓性チューブ（Ｄ２〜Ｄ５）がしごき型ポンプＰ２〜Ｐ５に対してそれぞれセット状態とされるようになっている。
【００３４】
しかして、ケースＣを本透析装置における血液ポンプＰ１及びしごき型ポンプＰ２〜Ｐ５が配設された部位（ステータ）に嵌合して取り付け（図２、３参照）、カバーＨを閉じることにより、被しごき用可撓性チューブ（Ｄ１〜Ｄ５）が血液ポンプＰ１及びしごき型ポンプ（Ｐ２〜Ｐ５）に一括して取り付けられるようになっている。そして、動脈側穿刺針及び静脈側穿刺針を患者に穿刺した後、血液ポンプＰ１（血液ポンプ）を駆動させると、動脈側血液回路１ａ及び静脈側血液回路１ｂにおいて患者の血液を体外循環させ得るようになっている。
【００３５】
一方、透析液導入チューブＬ１の基端には、ダイアライザ２に供給するための透析液を収容した収容バッグＢ１が接続されるとともに、透析液導出チューブＬ２の基端には、ダイアライザ２から排出された透析液（排液）を収容する収容バッグＢ２が接続されるようになっている。なお、透析液導入チューブＬ１の途中には、透析液を加温するための加温バッグ（不図示）等が接続されており、収容バッグＢ２には、しごき型ポンプＰ５にて送液可能な可撓性チューブ（不図示）が接続されている。
【００３６】
そして、しごき型ポンプＰ２を駆動させると、収容バッグＢ１の透析液がダイアライザ２に向かって流れるとともに、しごき型ポンプＰ４を駆動させると、ダイアライザ２の透析液（排液）が収容バッグＢ２に向かって流れることとなる。収容バッグＢ１、Ｂ２は、本透析装置に形成されたフックＦにそれぞれ引っ掛けられるとともに、重量計３、４にてリアルタイムに重量が計測されるよう構成されている。これにより、設定された流量にて透析液をダイアライザ２に供給し、当該ダイアライザ２から透析液を排出させることができる。
【００３７】
なお、本実施形態においては、透析液導入チューブＬ１から分岐した補液導入チューブＬ３に被しごき用可撓性チューブＤ３が接続されており、この被しごき用可撓性チューブＤ３がしごき型ポンプＰ３に取り付けられている。そして、しごき型ポンプＰ２、Ｐ３を駆動させることにより、収容バッグＢ１の透析液を静脈側血液回路１ｂに供給して補液することができるようになっている。補液導入チューブＬ３の先端を動脈側血液回路１ａに接続し、当該動脈側血液回路１ａに透析液を供給して補液するようにしてもよい。
【００３８】
ここで、血液ポンプＰ１やしごき型ポンプＰ２〜Ｐ５を駆動させると、そのローラが被しごき用可撓性チューブ（Ｄ１〜Ｄ５）を逐次しごくこととなるので、そのしごきによって流路に静電気が生じて帯電しまうことから、本実施形態においては、当該帯電に伴う電荷を外部に放散（接地）すべく、透析液導出チューブＬ２の途中（ダイアライザ２としごき型ポンプＰ４との間）に帯電防止具５が接続されている。
【００３９】
第１の実施形態に係る帯電防止具５は、透析液（導電性の液体）が流通し得る流路（透析液導出チューブＬ２）に取り付けられ、所定部位が透析液に接液可能とされるとともに、電気的に接地させる接地手段（アース手段）と接触することにより流路の液体に帯びた電荷を外部に放散可能なもので、図５〜１０に示すように、略円筒状に形成された導電性部材６にて構成されている。
【００４０】
より具体的には、本実施形態に係る帯電防止具５は、例えばカーボンナノチューブを含有するポリカーボネート又はカーボンブラックを含有するポリ塩化ビニル等、可撓性チューブと接着や熱溶着が容易な導電材料を射出成形等することにより得られるもので、貫通孔６ａと、接液部６ｂと、接地部６ｃとが一体形成された導電性部材６を有して構成されている。なお、導電性部材６は、その表面抵抗が１０２〜１０１２Ω程度のものが好ましい。また、本実施形態に係る接地部６ｃは、略円筒状に形成されているが、略平坦な形状等、他の形状であってもよい。
【００４１】
貫通孔６ａは、導電性部材６の中央を長手方向に延びて形成された孔から成り、その内径が取り付ける流路（透析液導出チューブＬ２）の外径と略等しく設定されているとともに、内周面における所定位置には、突起状に形成された接液部６ｂが形成されている。この接液部６ｂは、透析液導出チューブＬ２の所定位置に形成された挿通孔Ｌ２ａに挿通されて透析液（透析液導出チューブＬ２を流通する液体）に接液可能な部位から成る。
【００４２】
挿通孔Ｌ２ａは、透析液導出チューブＬ２の途中に形成され、液体の流路を外部に臨ませた円形状の開口から成る。また、接液部６ｂの外径は、挿通孔Ｌ２ａの内径より若干大きく設定されており、当該接液部６ｂを挿通孔Ｌ２ａに圧入させつつ貫通孔６ａの内周面と透析液導出チューブＬ２の外周面とを接着させることにより、導電性部材６を透析液導出チューブＬ２に取り付けるようになっている。なお、挿通孔Ｌ２ａの開口形状及び接液部６ｂの断面形状は、円形に限定されるものではなく、例えば楕円形や矩形等であってもよい。
【００４３】
このように、挿通孔Ｌ２に接液部６ｂを挿通させつつ導電性部材６を透析液導出チューブＬ２に取り付けた状態とすることにより、図１０に示すように、接液部６ｂの先端を透析液導出チューブＬ２の内部に臨ませることができ、透析液導出チューブＬ２を流れる液体（透析液を含む排液）に接液することとなる。なお、接液部６ｂが挿通孔Ｌ２に圧入され、且つ、貫通孔６ａの内周面と透析液導出チューブＬ２の外周面とが接着されているので、透析液導出チューブＬ２内を流通する液体が挿通孔Ｌ２ａを介して外部に漏れてしまうのを抑制することができる。
【００４４】
接地部６ｃは、導電性部材６の外周面の一部から成り、カバーＨに取り付けられた接地手段Ｅ（図２参照）と接触して接地可能とされ、透析液導出チューブＬ２及びそれに接続された流路の液体に帯びた電荷を外部に放散させ得るものである。本実施形態に係る接地手段Ｅは、本透析装置に取り付けられたカバーＨに形成されたもので、カバーＨを閉じた状態において、導電性部材６の外周面の一部である接地部６ｃと接触することにより、接地（アース）し得るよう構成されている。
【００４５】
すなわち、カバーＨを閉じることにより、被しごき用可撓性チューブ（Ｄ１〜Ｄ５）が血液ポンプＰ１及びしごき型ポンプ（Ｐ２〜Ｐ５）に一括して取り付けられるとともに、接地手段Ｅが導電性部材６の接地部６ｃと接触するので、透析液導出チューブＬ２及びそれに接続された流路の液体に帯びた電荷を外部に放散することができるのである。これにより、血液ポンプＰ１及びしごき型ポンプ（Ｐ２〜Ｐ５）に対する被しごき用可撓性チューブ（Ｄ１〜Ｄ５）の取り付け作業と、透析液導出チューブＬ２及びそれに接続された流路のアース作業とを同時に行わせることができ、作業性を向上させることができる。
【００４６】
なお、上記実施形態においては、帯電防止具５が透析液導出チューブＬ２の途中に取り付けられているが、他の流路（動脈側血液回路１ａ、静脈側血液回路１ｂ、透析液導入チューブＬ１、補液導入チューブＬ３等）の途中に取り付けるようにしてもよい。但し、帯電防止具５の取り付け位置は、静電気に伴って生じた電荷を効率よく外部に放散するために、血液ポンプＰ１やしごき型ポンプ（Ｐ２〜Ｐ５）が配設された位置の間とするのが好ましい。また、帯電防止具５の取り付け位置には、挿通孔Ｌ２ａの如き接液部６ｂを挿通し得る挿通孔を形成する必要がある。
【００４７】
本実施形態によれば、透析液導出チューブＬ２に形成された挿通孔Ｌ２ａに挿通されて液体に接液可能な接液部６ｂと、接地手段Ｅと接触して接地可能とされ、流路の液体に帯びた電荷を外部に放散させ得る接地部６ｃとが一体形成された導電性部材６を有するので、流路の液体に帯びた電荷を良好且つ確実に外部に放散し得るとともに、導電性部材６の取り付け部において流路が外れてしまうのを回避しつつ液漏れを抑制することができる。
【００４８】
また、導電性部材６が取り付けられる流路は、可撓性チューブから成るとともに、液体の流通方向にローラが回転して流路をしごくことにより送液させ得るしごき型ポンプＰ２が配設されたので、しごき型ポンプＰ２のローラの回転によって流路の液体に帯びた電荷を良好且つ確実に外部に放散することができる。これにより、治療時に並行して得られる患者の心電図にノイズが入り込んでしまう等の悪影響を抑制することができる。
【００４９】
次に、本発明に係る第２の実施形態について説明する。
本実施形態に係る帯電防止具は、第１の実施形態と同様、透析液（導電性の液体）が流通し得る流路（透析液導出チューブＬ２）に取り付けられ、所定部位が透析液に接液可能とされるとともに、電気的に接地させる接地手段（アース手段）と接触することにより流路の液体に帯びた電荷を外部に放散可能なもので、図１１〜１５に示すように、円筒形状を半割状にした半割形状の導電性部材７にて構成されている。
【００５０】
より具体的には、本実施形態に係る帯電防止具は、例えばカーボンナノチューブを含有するポリカーボネート又はカーボンブラックを含有するポリ塩化ビニル等、可撓性チューブと接着や熱溶着が容易な導電材料を成形等することにより得られるもので、内周面７ａと、接液部７ｂと、接地部７ｃとが一体形成された導電性部材７を有して構成されている。なお、導電性部材７は、第１の実施形態と同様、その表面抵抗が１０２〜１０１２Ω程度のものが好ましい。
【００５１】
内周面７ａは、円弧状の面から成り、取り付ける流路（透析液導出チューブＬ２）の外周面に倣った形状とされているとともに、所定位置には、突起状に形成された接液部７ｂが形成されている。この接液部７ｂは、透析液導出チューブＬ２の所定位置に形成された挿通孔Ｌ２ａに挿通されて透析液（透析液導出チューブＬ２を流通する液体）に接液可能な部位から成る。特に、本実施形態に係る接液部７ｂは、その突端に挿通孔Ｌ２ａより大径とされた大径部７ｂａを有しており、当該大径部７ｂａにて接液可能とされている。
【００５２】
また、接液部７ｂの大径部７ｂａ以外の外径は、挿通孔Ｌ２ａの内径と略同一寸法とされており、透析液導出チューブＬ２を成形する際、導電性部材７も同時に成形することにより、図１５で示すように、接液部７ｂの大径部７ｂａ以外の部位が挿通孔Ｌ２ａ内に位置し、且つ、大径部７ｂａが透析液導出チューブＬ２の内周面上に位置しつつ接地部７ｃが透析液導出チューブＬ２の外周面上に位置して導電性部材７が形成されることとなる。
【００５３】
接地部７ｃは、導電性部材７の外周面の一部から成り、カバーＨに取り付けられた接地手段Ｅ（図２参照）と接触して接地可能とされ、透析液導出チューブＬ２及びそれに接続された流路の液体に帯びた電荷を外部に放散させ得るものである。すなわち、第１の実施形態と同様、カバーＨを閉じることにより、被しごき用可撓性チューブ（Ｄ１〜Ｄ５）が血液ポンプＰ１及びしごき型ポンプ（Ｐ２〜Ｐ５）に一括して取り付けられるとともに、接地手段Ｅが導電性部材７の接地部７ｃと接触するので、透析液導出チューブＬ２及びそれに接続された流路の液体に帯びた電荷を外部に放散することができるのである。
【００５４】
本実施形態によれば、接液部７ｂは、その突端に流路（透析液導出チューブＬ２）の挿通孔Ｌ２ａより大径とされた大径部７ｂａを有し、当該大径部７ｂａにて接液可能とされたので、例えば汎用の金属等から成る導電性部材の導電率が低くても、流路の液体に帯びた電荷を良好且つ確実に外部に放散することができる。また、導電性部材７が取り付けられる流路は、可撓性チューブから成るとともに、液体の流通方向にローラが回転して流路をしごくことにより送液させ得るしごき型ポンプＰ２が配設されたので、しごき型ポンプＰ２のローラの回転によって流路の液体に帯びた電荷を良好且つ確実に外部に放散することができる。これにより、治療時に並行して得られる患者の心電図にノイズが入り込んでしまう等の悪影響を抑制することができる。
【００５５】
次に、本発明に係る第３の実施形態について説明する。
本実施形態に係る帯電防止具は、第１、２の実施形態と同様、透析液（導電性の液体）が流通し得る流路（透析液導出チューブＬ２）に取り付けられ、所定部位が透析液に接液可能とされるとともに、電気的に接地させる接地手段（アース手段）と接触することにより流路の液体に帯びた電荷を外部に放散可能なもので、図１６〜２３に示すように、透析液導出チューブＬ２の端部を接続可能とされた絶縁部材（例えば樹脂等）から成る接続部８ｂを有するとともに、当該接続部８ｂは、導電性部材９を合致させて位置決め固定し得る固定部８ｂａが形成されている。なお、導電性部材９及びその周辺構成部は、圧力モニタチャンバ８への液体の流入側に限らず、流出側へ設置してもよい。
【００５６】
接続部８ｂは、透析液導出チューブＬ２に接続された圧力モニタチャンバ８（任意部品）に形成された流出口から成る。かかる圧力モニタチャンバ８は、液体をチャンバ部８ｃの内部に流入させる流入口８ａと、チャンバ部８ｃの内部の液体を流出させる流出口から成る接続部８ｂが形成されており、チャンバ部８ｃの内部には、図１９に示すように、流入口８ａ及び接続部８ｂと連通した液室Ｓ１と、図示しない液圧センサと接続口８ｅを介して連通した気室Ｓ２と、これら液室Ｓ１と気室Ｓ２とを画成するダイアフラム８ｄとを有して構成されている。
【００５７】
しかして、透析液導出チューブＬ２を流通する液体が圧力モニタチャンバ８に至った後、流入口８ａから接続部８ｂに向かって流れると、気室Ｓ２の圧力が液室Ｓ１の圧力と等しくなるまでダイアフラム８ｄが変形して気室Ｓ２の容量を変化させる。このとき、気室Ｓ２の圧力を図示しない液圧センサにて計測することにより、液室Ｓ１内の液体の圧力（すなわち、透析液導出チューブＬ２内の液圧）を検出することができるのである。
【００５８】
接続部８ｂ及び流入口８ａは、チャンバ部８ｃから一体的に突出形成されたポート状部位から成り、透析液導出チューブＬ２の端部が接続されるとともに、接続部８ｂの一部が切欠かれて、導電性部材９を合致させて位置決め固定し得る固定部８ｂａを形成している。すなわち、固定部８ｂａには、受け面８ｂｂが形成されており、当該受け面８ｂｂに導電性部材９の下面を合致することにより位置決め可能とされているのである。
【００５９】
導電性部材９は、例えばカーボンナノチューブを含有するポリカーボネート又はカーボンブラックを含有するポリ塩化ビニル等、可撓性チューブと接着や熱溶着が容易な導電材料を成形等することにより得られるもので、図２２、２３に示すように、円筒形状を半割状にした半割形状の部材から成り、内周面９ａと、接液部９ｂと、接地部９ｃ及び合致部９ｄとが一体形成されて構成されている。なお、導電性部材９は、第１、２の実施形態と同様、その表面抵抗が１０２〜１０１２Ω程度のものが好ましい。
【００６０】
内周面９ａは、円弧状の面から成り、取り付ける流路（接続部８ｂに接続された透析液導出チューブＬ２）の外周面に倣った形状とされているとともに、所定位置には、突起状に形成された接液部９ｂが形成されている。この接液部９ｂは、透析液導出チューブＬ２の所定位置に形成された挿通孔Ｌ２ａに挿通されて透析液（透析液導出チューブＬ２を流通する液体）に接液可能な部位から成る。
【００６１】
合致部９ｄは、導電性部材９の縁面から成り、固定部８ｂａの受け面８ｂｂに合致し得るようになっている。そして、合致部９ｄを固定部８ｂａの受け面８ｂｂに合致させると、接液部９ｂが透析液導出チューブＬ２の挿通孔Ｌ２ａに合致する位置とされるので、図１７に示すように、当該接液部９ｂを挿通孔Ｌ２ａに挿通させつつ内周面９ａを透析液導出チューブＬ２の外周面に接着等させて固定することができる。
【００６２】
接地部９ｃは、導電性部材９の外周面の一部から成り、カバーＨに取り付けられた接地手段Ｅ（図２参照）と接触して接地可能とされ、透析液導出チューブＬ２及びそれに接続された流路の液体に帯びた電荷を外部に放散させ得るものである。特に、本実施形態においては、接地部９ｃにおける接地手段Ｅとの接触部が略平坦な面から成り、その略平坦な面が接地手段Ｅに面接触し得るよう構成されている。
【００６３】
すなわち、第１、２の実施形態と同様、カバーＨを閉じると、被しごき用可撓性チューブ（Ｄ１〜Ｄ５）が血液ポンプＰ１及びしごき型ポンプ（Ｐ２〜Ｐ５）に一括して取り付けられるとともに、図１８に示すように、接地手段Ｅが導電性部材９の接地部９ｃと接触するので、透析液導出チューブＬ２及びそれに接続された流路の液体に帯びた電荷を外部に放散することができるのである。
【００６４】
本実施形態によれば、接地部９ｃにおける接地手段Ｅとの接触部は、略平坦な面から成るので、接地部９ｃと接地手段Ｅとの接触を面接触として確実に行わせることができ、流路（透析液導出チューブＬ２及びそれに接続された流路）に帯びた電荷をより良好且つ確実に外部に放散することができる。また、本実施形態によれば、透析液導出チューブＬ２の端部を接続可能とされた絶縁部材から成る接続部８ｂを有するとともに、当該接続部８ｂは、導電性部材９を合致させて位置決め固定し得る固定部８ｂａが形成されたので、透析液導出チューブＬ２に対して導電性部材９を精度よく安定して取り付けることができる。
【００６５】
さらに、本実施形態に係る接続部８ｂは、透析液導出チューブＬ２（流路）に接続された任意部品（本実施形態においては圧力モニタチャンバ８）に形成されたので、その任意部品の一部に透析液導出チューブＬ２を接続させる接続機能と、導電性部材９を位置決め固定する固定機能とを兼ね備えることができる。なお、本実施形態においては、圧力モニタチャンバ８に接続部８ｂが形成されているが、流路（透析液導出チューブＬ２又は他の流路）に接続された他の任意部品（液圧を計測するものの他、流路を流れる液体に対して他のパラメータを計測するもの、或いはポンプ等の液体を流路にて送液させるもの等）であってもよい。また、上記実施形態の帯電防止具による効果を有した医療用回路又は血液浄化装置を提供することができる。
【００６６】
以上、本実施形態について説明したが、本発明はこれに限定されず、例えば帯電防止具を構成する導電性部材（６、７、９）は、カーボンナノチューブを含有するポリカーボネート又はカーボンブラックを含有するポリ塩化ビニルに限定されず、他の汎用的な導電材料（金属等）としてもよい。また、帯電防止具の接地位置は、透析液導出チューブＬ２に限定されず、透析液導入チューブＬ１、動脈側血液回路１ａ、静脈側血液回路１ｂの途中であって、血液ポンプＰ１やしごき型ポンプ（Ｐ２〜Ｐ５）が配設された位置の間、或いは血液ポンプＰ１の上流側（患者側）等であってもよい。
【００６７】
さらに、本実施形態においては、接地手段ＥがカバーＨに形成されているが、他の部位に形成して導電性部材の接地部に接触させるものであってもよい。なお、ダイアライザ２に代えて他の血液浄化器（ヘモフィルタ、血漿分離器、血液吸着器等）としてもよく、或いは血液回路１に代えて体外循環させない血液流路（例えば、輸液や輸血等の流路）に適用してもよい。また、適用される血液浄化治療は、透析治療に限定されず、患者の血液を体外循環させつつ浄化する他の治療のための血液浄化装置であってもよい。
【産業上の利用可能性】
【００６８】
流路に形成された開口から成る挿通孔に圧入状態で挿通されて透析液に接液可能な突起状の接液部と、接地手段と接触して接地可能とされ、流路の透析液に帯びた電荷を外部に放散させ得る接地部とが一体形成された導電性部材を有するとともに、導電性部材は、流路を成す可撓性チューブを挿通して流路の外周面と接着する内周面を有する貫通孔が形成され、且つ、接液部の突端は、流路を成す可撓性チューブの内周面に対して連続した形状とされた帯電防止具であれば、他の機能が付加されたもの等であってもよい。
【符号の説明】
【００６９】
１    血液回路
１ａ  動脈側血液回路（流路）
１ｂ  静脈側血液回路（流路）
２    ダイアライザ（血液浄化器）
３    重量計
４    重量計
５    帯電防止具
６    導電性部材
７    導電性部材
８    接続部
９    導電性部材
Ｐ１  血液ポンプ（しごき型ポンプ）
Ｐ２〜Ｐ５  しごき型ポンプ
Ｌ１  透析液導入チューブ（流路）
Ｌ２  透析液導出チューブ（流路）
Ｌ３  補液導入チューブ（流路）
Ｄ１〜Ｄ５  被しごき用可撓性チューブ（流路）
【図１】
0006739144.tif 000002
【図２】
0006739144.tif 000003
【図３】
0006739144.tif 000004
【図４】
0006739144.tif 000005
【図５】
0006739144.tif 000006
【図６】
0006739144.tif 000007
【図７】
0006739144.tif 000008
【図８】
0006739144.tif 000009
【図９】
0006739144.tif 000010
【図１０】
0006739144.tif 000011
【図１１】
0006739144.tif 000012
【図１２】
0006739144.tif 000013
【図１３】
0006739144.tif 000014
【図１４】
0006739144.tif 000015
【図１５】
0006739144.tif 000016
【図１６】
0006739144.tif 000017
【図１７】
0006739144.tif 000018
【図１８】
0006739144.tif 000019
【図１９】
0006739144.tif 000020
【図２０】
0006739144.tif 000021
【図２１】
0006739144.tif 000022
【図２２】
0006739144.tif 000023
【図２３】
0006739144.tif 000024